(57)【要約】【課題】接触面が圧縮されることによる絶縁体の変形部を矯正して、充分な刃物の切れ込み量を確保し、安定したストリップを行うことができる多芯ケーブルのストリップ方法を提供する。【解決手段】絶縁体コーミング部２０１ａ，２０１ｂを加熱し、金属部２１の対向する平面および一対の刃１０１を開いた状態で、多芯ケーブル１を当該開いた金属部２１および刃１０１の間に挿入した後、当該開いた金属部２１を閉じて絶縁体１２を挟み込むステップと、絶縁体コーミング部２０１ａ，２０１ｂによって、絶縁体１２を圧縮するステップと、金属部２１の対向する平面を平行に移動させて絶縁体１２を転がすステップと、開かれた刃１０１を閉じ、絶縁体１２に切り込みを入れるステップと、刃１０１によって切り込みを入れた状態で、金属部２１を開き、多芯ケーブル１を軸線方向に引き抜くステップとを備えた。【選択図】図５
2016220346.tif 000002
【特許請求の範囲】
【請求項１】
２本以上の導線、前記導線を個々に覆う絶縁体、および、前記絶縁体をまとめて覆うシースからなる多芯ケーブルを、対向する平面が開閉可能かつ平行移動可能な少なくとも２つの部位からなる金属部に挿入し、前記金属部に設けられた絶縁体コーミング部によって前記絶縁体を整線後、前記多芯ケーブルの軸線方向に対して垂直に設置される一対の刃によってストリップする多芯ケーブルのストリップ方法において、
前記絶縁体コーミング部を加熱し、前記金属部の対向する平面および前記一対の刃を開いた状態で、前記多芯ケーブルを当該開いた金属部および刃の間に挿入した後、当該開いた金属部を閉じて前記絶縁体を挟み込むステップと、
前記絶縁体コーミング部によって、前記絶縁体を圧縮するステップと、
前記金属部の対向する平面を平行に移動させて前記絶縁体を転がすステップと、
前記開かれた刃を閉じ、前記絶縁体に切り込みを入れるステップと、
前記刃によって前記切り込みを入れた状態で、前記金属部を開き、前記多芯ケーブルを軸線方向に引き抜くステップと
を備えた多芯ケーブルのストリップ方法。
【請求項２】
前記金属部の対向する平面を平行に移動させて、前記絶縁体を９０°転がす
ことを特徴とする請求項１記載の多芯ケーブルのストリップ方法。
【請求項３】
前記金属部の対向する平面を平行に複数回移動させて、前記絶縁体を転がす
ことを特徴とする請求項１記載の多芯ケーブルのストリップ方法。
【請求項４】
前記多芯ケーブルの先端を、前記絶縁体コーミング部が圧縮可能な位置まで挿入する
ことを特徴とする請求項１から請求項３のうちのいずれか１項記載の多芯ケーブルのストリップ方法。
【請求項５】
２本以上の導線、前記導線を個々に覆う絶縁体、および、前記絶縁体をまとめて覆うシースからなる多芯ケーブルを挿入して前記絶縁体をストリップするストリップ装置において、
対向する平面を有し、当該対向する平面が開閉可能かつ平行移動可能な少なくとも２つの部位からなる金属部と、
前記金属部の対向する平面各々に設けられ、前記絶縁体を整線する絶縁体コーミング部と、
前記挿入された多芯ケーブルの軸線方向に対して垂直に設置される一対の刃と、
前記絶縁体コーミング部を加熱する加熱制御部と、
前記金属部に、前記絶縁体を挟み込ませる挟持制御部と、
前記絶縁体コーミング部に、前記挟み込んだ絶縁体を圧縮させる加圧制御部と、
前記金属部を平行移動させる平行移動制御部と、
前記一対の刃に、前記絶縁体コーミング部が圧縮した絶縁体を切り込ませる切込制御部とを備えたストリップ装置。
【発明の詳細な説明】
【技術分野】
【０００１】
この発明は、複数の導線各々に絶縁体の被覆を施し、撚り合わせた多芯ケーブルのストリップ方法およびストリップ装置に関するものである。
【背景技術】
【０００２】
従来、導線に絶縁体の被覆を施したケーブルや電線において、絶縁体をストリップする際は、専用の刃物が用いられる。その際、導線の損傷を防ぐため、絶縁体部のみに切り込みを入れて引きちぎるストリップ方法が一般に用いられる。
導線の損傷を防いでケーブルの加工を行う技術については、例えば、特許文献１には、丸形多芯ケーブルの外被剥離において、剥離始点となるケーブル端面を両側から押し楕円状に変形させる端面ツブシクランパーと、その変形の頂点に食い込ませる外被引き上げシューと、それに固定したカッタチップからなるカッターブロックを回転前進させることにより外被を剥離する技術が開示されている。
【先行技術文献】
【特許文献】
【０００３】
【特許文献１】特開平５−２９２６２０号公報
【発明の概要】
【発明が解決しようとする課題】
【０００４】
一方、多芯ケーブル（ヨリ線）のストリップにおいては、複数の導線各々に絶縁体の被覆が施され纏められており、当該複数の導線を覆う絶縁体を並べ、平刃を用いて、絶縁体のストリップを一度に行って、生産効率を上げることが望ましい。
しかしながら、多芯ケーブルの場合、製造の過程上、絶縁体同士の接触面が変形してしまうことにより、当該変形部に刃物があたると、充分な切り込みが入らず、不良となってしまうという問題がある。
このような問題に対し、特許文献１に開示されているような技術を用いて、ケーブルの端面を両側から押し楕円状に変形させてからストリップするようにしても、絶縁体同士の接触面の変形が大きいと、依然として充分な切り込みを入れることができないという課題があった。また、絶縁体同士の接触面の変形に差があると、加工にばらつきが生じ、安定したストリップを行うことができないという課題があった。
【０００５】
この発明は、上記のような課題を解決するためになされたもので、複数の導線が纏められた多芯ケーブルのストリップ方法において、接触面が圧縮されることによる絶縁体の変形部を矯正して、充分な刃物の切れ込み量を確保し、安定したストリップを行うことができる多芯ケーブルのストリップ方法およびストリップ装置を提供することを目的とする。
【課題を解決するための手段】
【０００６】
この発明に係る多芯ケーブルのストリップ方法は、２本以上の導線、導線を個々に覆う絶縁体、および、絶縁体をまとめて覆うシースからなる多芯ケーブルを、対向する平面が開閉可能かつ平行移動可能な少なくとも２つの部位からなる金属部に挿入し、金属部に設けられた絶縁体コーミング部によって絶縁体を整線後、多芯ケーブルの軸線方向に対して垂直に設置される一対の刃によってストリップする多芯ケーブルのストリップ方法において、絶縁体コーミング部を加熱し、金属部の対向する平面および一対の刃を開いた状態で、多芯ケーブルを当該開いた金属部および刃の間に挿入した後、当該開いた金属部を閉じて絶縁体を挟み込むステップと、絶縁体コーミング部によって、絶縁体を圧縮するステップと、金属部の対向する平面を平行に移動させて絶縁体を転がすステップと、開かれた刃を閉じ、絶縁体に切り込みを入れるステップと、刃によって切り込みを入れた状態で、金属部を開き、多芯ケーブルを軸線方向に引き抜くステップとを備えたものである。
【発明の効果】
【０００７】
この発明によれば、接触面が圧縮されることによる絶縁体の変形部を矯正して、充分な刃物の切れ込み量を確保し、安定したストリップを行うことができる。
【図面の簡単な説明】
【０００８】
【図１】多芯ケーブル（ヨリ線）の構造、および、当該多芯ケーブルの絶縁体をストリップする際の一般的なストリップ方法について説明する図である。
【図２】実施の形態１において、ストリップ加工前の状態を説明する図であって、図２（ａ）は、ストリップ装置において絶縁体切り込み箇所を正面から見た断面図であり、図２（ｂ）は、図２（ａ）のＡ−Ａ断面図である。
【図３】実施の形態１において、コーミング、すなわち、多芯ケーブルの絶縁体１２を整線する工程を説明する図であって、図３（ａ）は、ストリップ装置において絶縁体切り込み箇所を正面から見た断面図であり、図３（ｂ）は、図３（ａ）のＢ−Ｂ断面図である。
【図４】実施の形態１において、多芯ケーブルの絶縁体に刃を入れストリップする工程を説明する図であって、図４（ａ）は、ストリップ装置において絶縁体切り込み箇所を正面から見た断面図であり、図４（ｂ）は、図４（ａ）のＣ−Ｃ断面図である。
【図５】実施の形態１において、絶縁体コーミング部によって絶縁体が圧縮され変形部が矯正されてからストリップされる仕組みを説明する図である。
【図６】この実施の形態２において、コーミング、すなわち、多芯ケーブルの絶縁体を整線する工程を説明する図であって、図６（ａ）は、ストリップ装置において絶縁体切り込み箇所を正面から見た断面図であり、図６（ｂ）は、図６（ａ）のＢ−Ｂ断面図である。
【図７】多芯ケーブルがストリップ装置に挿入される位置のその他の一例を説明する図である。
【発明を実施するための形態】
【０００９】
以下、この発明の実施の形態について図面を参照しながら詳細に説明する。
実施の形態１．
まず、図１を用いて、多芯ケーブル（ヨリ線）の構造、および、当該多芯ケーブルの絶縁体をストリップする際の一般的なストリップ方法について説明する。
図１（ａ）に示すように、多芯ケーブル１は、２本以上（図１（ａ）においては３本）の導線（単線、撚り線）１１が、個々に絶縁体１２により覆われ、この絶縁体１２が、シース１３によりまとめて覆われている。このとき、絶縁体１２同士の接触面は圧縮され、変形する。
そして、一般的に、多芯ケーブル１をストリップする際は、図１（ｂ）に示すように、コーミングツール２によってまとめて覆われていた絶縁体１２をコーミング、すなわち、整線して揃え、図１（ｃ）に示すように、絶縁体１２に専用の刃１０１を入れることにより絶縁体１２にのみ切り込みを入れ、引きちぎるようにする。
しかしながら、上述したように、２本以上の導線１１がまとめられていたことにより絶縁体１２同士の接触面が圧縮され変形しており、コーミングで絶縁体１２を揃えても、絶縁体１２は変形したままなので、充分な切り込みを入れられないという問題が発生する（図１（ｃ）のＡ参照）。
【００１０】
そこで、この実施の形態１のストリップ方法では、このように、絶縁体１２が変形していることにより充分な切り込みを入れられないという問題を解決するようにした。
以下、この発明の実施の形態１に係る多芯ケーブル１のストリップ方法について説明する。
図２〜図４は、この発明の実施の形態１において、多芯ケーブル１のストリップで用いられるストリップ装置を説明する図である。
多芯ケーブル１のストリップは、図２〜図４に示すような専用のストリップ装置を用いて行うので、まず、当該専用のストリップ装置について説明する。
図２は、実施の形態１において、ストリップ加工前の状態を説明する図であって、図２（ａ）は、ストリップ装置において絶縁体切り込み箇所を正面から見た断面図であり、図２（ｂ）は、図２（ａ）のＡ−Ａ断面図である。
図３は、実施の形態１において、コーミング、すなわち、多芯ケーブル１の絶縁体１２を整線する工程を説明する図であって、図３（ａ）は、ストリップ装置において絶縁体切り込み箇所を正面から見た断面図であり、図３（ｂ）は、図３（ａ）のＢ−Ｂ断面図である。
図４は、実施の形態１において、多芯ケーブル１の絶縁体１２に刃１０１を入れストリップする工程を説明する図であって、図４（ａ）は、ストリップ装置において絶縁体切り込み箇所を正面から見た断面図であり、図４（ｂ）は、図４（ａ）のＣ−Ｃ断面図である。
【００１１】
図２〜図４に示すように、ストリップ装置は、多芯ケーブル１の絶縁体１２に切り込みを入れる上下一対の刃１０１（上刃１０１ａ，下刃１０１ｂ）と、絶縁体１２のコーミングを行うコーミングツール２を備える。
コーミングツール２は、対向する平面を有し、多芯ケーブル１の絶縁体１２を上下方向から挟む少なくとも２つの金属部２１（上側の金属部２１ａ，下側の金属部２１ｂ）を備え、金属部２１ａ，２１ｂには、絶縁体１２のコーミングを行う面（絶縁体コーミング部２０１ａ，２０１ｂ）を設ける。
刃１０１および金属部２１は、上下に開閉するようになっており、上側と下側の金属部２１ａ，２１ｂは、さらに各々左右にも平行移動可能となっている。
刃１０１は、金属部２１により表裏面を挟み込まれるように設置され、正面から見て、絶縁体コーミング部２０１ａ，２０１ｂと重なる位置に、金属部２１と平行に配置されている。
なお、図２〜図４においては、刃１０１およびコーミングツール２以外の部分については図示を省略している。
【００１２】
以上のようなストリップ装置を用いた多芯ケーブル１のストリップ方法について説明する。
まず、ストリップ加工前に、予め金属部２１ａ，２１ｂを加熱しておく。具体的には、例えば、ストリップ装置の加熱制御部（図示省略）が加熱するようにすればよいし、手動で加熱制御するようにしてもよい。少なくとも金属部２１ａ，２１ｂに設けられた絶縁体コーミング部２０１ａ，２０１ｂが加熱されていればよい。
そして、ストリップ加工前の状態においては、図２（ａ）に示すように、金属部２１、および、刃１０１は、上下に開いている。
金属部２１、および、刃１０１が上下に開いた状態で、図２（ａ），（ｂ）に示すように、多芯ケーブル１の絶縁体１２が、上下に開いた刃１０１ａ，１０１ｂ、および、上側の金属部２１ａと下側の金属部２１ｂにそれぞれ設けられた絶縁体コーミング部２０１ａ，２０１ｂに挟まれるように、多芯ケーブル１を、上側の金属部２１ａと下側の金属部２１ｂとの間、かつ、上刃１０１ａと下刃１０１ｂとの間に、平行に挿入する。なお、このとき、絶縁体コーミング部２０１ａ，２０１ｂが絶縁体１２を圧縮可能な位置まで多芯ケーブル１を挿入する。そして、金属部２１ａ，２１ｂを閉じ、絶縁体１２を挟み込む。
なお、ここでは、図２（ｂ）に示すように、シース１３端付近の絶縁体１２が、絶縁体コーミング部２０１ａ，２０１ｂに挟まれる位置まで多芯ケーブル１を挿入するものとする。
また、図示は省略しているが、シース１３端は、シース押さえ部によって固定されている。
【００１３】
次に、図３に示すように、金属部２１ａ，２１ｂを閉じ、絶縁体１２を挟みこむ。具体的には、例えば、ストリップ装置の挟持制御部（図示省略）が、図２を用いて上述したように、金属部２１ａ，２１ｂおよび刃１０１ａ，１０１ｂを開いた状態で多芯ケーブル１を挿入し、ここで、上下に開いた金属部２１ａ，２１ｂを閉じて絶縁体１２を挟み込むようにすればよいし、手動で絶縁体１２を挟み込ませる制御を行うようにしてもよい。
そして、多芯ケーブル１の絶縁体１２を絶縁体コーミング部２０１ａ，２０１ｂによって整線する。具体的には、絶縁体コーミング部２０１ａは、絶縁体１２を上下方向から挟んで、挟んだ空間内に、軸が平行に設置されるように平面状に並べ、当該平面状に並べた絶縁体１２を圧縮する。具体的には、例えば、ストリップ装置の加圧制御部（図示省略）が、絶縁体コーミング部２０１ａ，２０１ｂに、挟み込んだ絶縁体を、挟んだ空間内に軸が平行に設置されるように平面状に並べ、圧縮させるようにすればよいし、手動で、圧縮させる制御を行うようにしてもよい。
なお、このとき、上刃１０１ａと下刃１０１ｂは、まだ図２に示したように、上下に開いたままである。
その後、上側の金属部２１ａを横方向（図３のＸ方向）に平行移動させることにより、絶縁体１２を転がして、９０°回転させる。具体的には、例えば、ストリップ装置の平行移動制御部（図示省略）が、上側の金属部２１ａを平行移動させるようにすればよいし、手動で、上側の金属部２１ａを平行移動させる制御を行うようにしてもよい。
これにより、絶縁体１２同士の接触により、接触面が圧縮され変形していた絶縁体１２の変形部が矯正される。
【００１４】
ここで、図５は、実施の形態１において、絶縁体コーミング部２０１ａ，２０１ｂによって絶縁体１２が圧縮され変形部が矯正されてからストリップされる仕組みを説明する図である。
金属部２１ａ，２１ｂは加熱されているため、絶縁体１２は、絶縁体コーミング部２０１ａ，２０１ｂによって上下方向から押さえられ、圧縮されることで、図５（ａ）に示すように、潰れる。それと同時に、ポアソン比の関係で、絶縁体１２は、図５（ｂ）に示すように、膨張する。その結果、絶縁体１２の変形部が膨張により矯正され、楕円状になる。
そして、上側の絶縁体コーミング部２０１ａを図３のＸ方向に平行移動させると、図５（ｃ）に示すように、絶縁体１２の加工面である、絶縁体コーミング部２０１ａ，２０１ｂに挟まれた部分が揃う。図５（ｄ）のストリップ工程については後述する。
【００１５】
ストリップ方法の説明に戻る。
次に、図４に示すように、刃１０１を閉じ、上刃１０１ａと下刃１０１ｂによって、絶縁体１２に切り込みを入れる。具体的には、例えば、ストリップ装置の切込制御部（図示省略）が、上刃１０１ａと下刃１０１ｂに、絶縁体コーミング部２０１ａ，２０１ｂが圧縮した絶縁体１２を切り込ませるようにすればよいし、手動で、切り込ませる制御を行うようにしてもよい。
なお、刃１０１は、挿入される多芯ケーブル１の挿入方向、すなわち、多芯ケーブル１の軸線方向と垂直に設置されている。したがって、絶縁体１２は、上刃１０１ａと下刃１０１ｂによって、軸線方向に対して垂直に切り込まれる。
図３で説明したコーミング工程により、図５（ｃ）に示したように、絶縁体１２の加工面は揃っているので、絶縁体１２に切り込みを入れる際には、図５（ｄ）に示すように、シース１３により纏められていた全ての絶縁体１２において、充分な切れ込み量を確保することができる。
【００１６】
その後、刃１０１によって切り込みを入れた状態で、金属部２１ａ，２１ｂを上下に開き、多芯ケーブル１を軸線方向に引き抜く（図４のＺの方向に引き抜く）ことによって、多芯ケーブル１をストリップする。
なお、多芯ケーブル１を引き抜くのは、例えば、ストリップ装置の引抜制御部（図示省略）によって自動で行ってもよいし、手動で、引き抜かせる制御を行うようにしてもよい。
【００１７】
このようにすることで、２本以上の導線（単線、撚り線）１２が、個々に絶縁体１２により覆われ、この絶縁体１２が、シース１３によりまとめて覆われている多芯ケーブル１であっても、安定したストリップを行うことができる。
また、この実施の形態１では、上述したように、シース１３端付近の絶縁体１２が、絶縁体コーミング部２０１ａ，２０１ｂに挟まれる位置まで多芯ケーブル１を挿入し、シース１３端付近の絶縁体１２の変形部が、絶縁体コーミング部２０１ａ，２０１ｂにより矯正されるようにした。シース１３によりまとめられている際に、２本以上の絶縁体は撚られているが、これにより、シース１３端付近の絶縁体１２のヨレがなくなり、この後の工程、例えば、ケーブルインサート成形において、型締めを行う金型に多芯ケーブル１を配置する際に、スムーズに配置することができ、インサート部品をはめやすくすることができる。
【００１８】
なお、この実施の形態１では、上側の金属部２１ａを横方向（図３のＸ方向）に平行移動させることにより、絶縁体１２を９０°回転させるようにしていたが、これに限らず、下側の金属部２１ｂを横方向に平行移動させることにより、絶縁体１２を９０°回転させるようにしてもよいし、上側の金属部２１ａと下側の金属部２１ｂの両方を同時に、反対方向に平行移動させることにより絶縁体１２を９０°回転させるようにしてもよい。
【００１９】
以上のように、実施の形態１によると、絶縁体コーミング部２０１ａ，２０１ｂを加熱し、金属部２１の対向する平面および一対の刃１０１を開いた状態で、多芯ケーブル１を当該開いた金属部２１および刃１０１の間に挿入した後、当該開いた金属部２１を閉じて絶縁体１２を挟み込むステップと、絶縁体コーミング部２０１ａ，２０１ｂによって、絶縁体１２を圧縮するステップと、金属部２１の対向する平面を平行に移動させて絶縁体１２を転がすステップと、開かれた刃１０１を閉じ、絶縁体１２に切り込みを入れるステップと、刃１０１によって切り込みを入れた状態で、金属部２１を開き、多芯ケーブル１を軸線方向に引き抜くステップとを備えるように構成したので、接触面が圧縮されることによる絶縁体の変形部を矯正して、充分な切れ込み量を確保し、加工のばらつきを低減し、安定したストリップを行うことができる。
【００２０】
実施の形態２．
実施の形態１では、絶縁体１２の変形部を矯正する際に、金属部２１により、絶縁体１２を、９０°だけ回転させるようにしていた。この実施の形態２では、金属部２１の平行移動を複数回繰り返すことによって、シース１３によって纏められていた複数の絶縁体１２の形状をさらに均等に整える実施の形態について説明する。
【００２１】
なお、この実施の形態２においても、実施の形態１同様、図２〜図４で説明したようなストリップ装置を用いるので、ストリップ装置についての重複した説明は省略する。
また、この実施の形態２における多芯ケーブル１のストリップ方法についても、ストリップ加工前の多芯ケーブル１を挿入する工程と、絶縁体１２に刃１０１を入れストリップする工程については、実施の形態１において、図２，図４を用いて説明した方法と同様であるため、重複した説明を省略する。
この実施の形態２における多芯ケーブル１のストリップ方法は、実施の形態１における多芯ケーブル１のストリップ方法とは、コーミングの工程が異なるのみである。従って、実施の形態１とは異なる、コーミング工程についてのみ説明する。
【００２２】
図６は、この実施の形態２において、コーミング、すなわち、多芯ケーブル１の絶縁体１２を整線する工程を説明する図であって、図６（ａ）は、ストリップ装置において絶縁体切り込み箇所を正面から見た断面図であり、図６（ｂ）は、図６（ａ）のＢ−Ｂ断面図である。
図６は、実施の形態１で図３を用いて説明したコーミングとは、上側と下側の金属部２１ａ，２１ｂを閉じて多芯ケーブル１の絶縁体１２を絶縁体コーミング部２０１ａ，２０１ｂによって上下方向から押さえた後、金属部２１を移動させる動きが異なるのみである。
実施の形態１では、図３（ａ）を用いて説明したように、例えば、上側の金属部２１ａを横方向（図３のＸ方向）の、一方向のみに、絶縁体１２が９０°回転する分だけ平行移動させていた。
この実施の形態２では、例えば、上側の金属部１ａを左右両方向（図６のＸ方向およびＹ方向）に複数回、繰り返し平行移動させるようにする。
これにより、絶縁体１２同士の接触により、接触面が圧縮され変形していた絶縁体１２の変形部が、より矯正され、２本以上の導線（単線、撚り線）１２を覆う絶縁体１２各々の形状がより均等になり、加工のばらつきをさらに低減し、より安定したストリップを行うことができるようになる。
なお、ここでは、上述したように、上側の金属部２１ａを左右両方向に複数回、繰り返し平行移動させるようにしたが、これに限らず、下側の金属部２１ｂを左右両方向に複数回、繰り返し平行移動させるようにしてもよいし、上側と下側両方の金属部２１ａ，２１ｂを左右両方向に複数回、繰り返し平行移動させるようにしてもよい。また、平行移動させる方向も、一方向のみとしてもよく、金属部２１ａ，２１ｂを平行移動させることにより、２本以上の導線（単線、撚り線）１２を覆う絶縁体１２各々の形状を均等にするようになっていればよい。
【００２３】
以上のように、実施の形態２によれば、金属部２１の対向する平面を平行に複数回移動させて、絶縁体１２を転がすように構成したので、より加工のばらつきを低減し、より安定したストリップを行うことができる。
【００２４】
なお、上述した実施の形態１，２では、多芯ケーブル１を挿入し、金属部２１ａ，２１ｂを閉じて、多芯ケーブル１の絶縁体１２を絶縁体コーミング部２０１ａ，２０１ｂによって上下方向から押さえると（図３，図６参照）、多芯ケーブル１のストリップ装置に対する前後の位置は固定され、押さえられた位置で刃１０１を入れるようにしていたが、これに限らない。例えば、多芯ケーブル１を挿入し、金属部２１ａ，２１ｂを閉じて、多芯ケーブル１の絶縁体１２を絶縁体コーミング部２０１ａ，２０１ｂによって上下から押さえた後、一旦、金属部２１ａ，２１ｂを上下に開き、多芯ケーブル１をストリップ装置に対して前後方向、すなわち、軸線方向にずらして、再度金属部２１ａ，２１ｂを閉じ、絶縁体１２に刃１０１を入れるようにしてもよい。なお、前後方向にずらす度合いは、少なくとも、刃１０１の厚さ分だけずらすようにすればよい。このようにすることで、絶縁体１２の、変形部が矯正された位置に確実に刃１０１を入れることができ、より安定したストリップを行うことができる。
【００２５】
また、上述した実施の形態１，２では、シース１３端付近の絶縁体１２が、絶縁体コーミング部２０１ａ，２０１ｂに挟まれる位置まで多芯ケーブル１を挿入するものとした（図２（ｂ）参照）が、これに限らない。
例えば、図７に示すように、多芯ケーブル１の絶縁体１２の先端が、絶縁体コーミング部２０１ａ，２０１ｂに挟まれる位置まで多芯ケーブル１を挿入するようにしてもよい。このように、絶縁体１２の先端が、絶縁体コーミング部２０１ａ，２０１ｂに挟まれるようにすれば、絶縁体１２の先端の変形部が矯正されるようになる。これにより、絶縁体１２の先端の、撚られ、圧縮されていたことによるクセがとれ、この後の、例えば、基板にはんだ付けするような工程において、多芯ケーブル１の先端まで冶具に嵌めやすくすることができ、また、多芯ケーブル１の先端が浮いてくる等により冶具から外れやすくなってしまうのを防ぐことができる。
【００２６】
また、上述した実施の形態１，２では、刃１０１によって絶縁体１２に切り込みを入れた状態で、金属部２１ａ，２１ｂを上下に開き、多芯ケーブル１を軸線方向に引き抜くことによって絶縁体１２を引きちぎり、多芯ケーブル１をストリップするようにしたが、これに限らず、刃１０１を水平動作させることによって絶縁体１２を引きちぎり、多芯ケーブル１をストリップするようにしてもよい。
【００２７】
また、上述した実施の形態１，２では、金属部２１ａ，２１ｂを予め加熱しておくものとしたが、これに限らず、金属部２１ａ，２１ｂを閉じ、絶縁体１２を挟みこんでから、金属部２１ａ，２１ｂを加熱するようにしてもよい。
また、上述した実施の形態１，２では、金属部２１ａ，２１ｂを上下に開き、左右に平行移動させるようにしたが、これに限らない。
【００２８】
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００２９】
１  多芯ケーブル
２  コーミングツール
１１  導線
１２  絶縁体
１３  シース
２１  金属部
１０１  刃
２０１  絶縁体コーミング部
【図１】
2016220346.tif 000003
【図２】
2016220346.tif 000004
【図３】
2016220346.tif 000005
【図４】
2016220346.tif 000006
【図５】
2016220346.tif 000007
【図６】
2016220346.tif 000008
【図７】
2016220346.tif 000009